【手続補正書】
【提出日】平成30年5月25日(2018.5.25)
【手続補正１】
【補正対象書類名】特許請求の範囲
【補正対象項目名】全文
【補正方法】変更
【補正の内容】
【特許請求の範囲】
【請求項１】
高効率ビデオコード化（ＨＥＶＣ）規格及び前記規格の拡張の少なくとも一方に従ってビデオデータを復号する方法であって、前記ビデオデータは、ビデオビットストリームを含み、前記ビデオビットストリームのレイヤは、２つ以上のビットストリームパーティションに分割され、前記方法が、
ＨＲＤパラメータの複数のセットを復号することと、
各ビットストリームパーティションの時間サブレイヤごとに、ＨＲＤパラメータの前記複数のセットのうちのＨＲＤパラメータの１つのセットを表すインデックスを復号することと、ここにおいて、前記インデックスをコード化することは、
前記ＨＲＤパラメータのループの反復の数を表す数を復号することと、前記ループの前記反復の各々が、前記時間サブレイヤのうちの１つに対応する、
前記ループ反復のうちの対応する１つにおいて前記時間サブレイヤの各々のために前記インデックスを復号することと、
を備える、
前記ビットストリームの符号化ピクチャを復号することと、
前記復号ピクチャを復号ピクチャバッファ（ＤＰＢ）に記憶することと、
前記ＨＲＤパラメータに従って前記復号ピクチャを前記ＤＰＢから取り除くことと
によって、前記ＨＲＤパラメータを使用して前記ビデオビットストリームを処理することと
を備える方法。
【請求項２】
高効率ビデオコード化（ＨＥＶＣ）規格及び前記規格の拡張の少なくとも一方に従ってビデオデータを符号化する方法であって、前記ビデオデータは、ビデオビットストリームを含み、前記ビデオビットストリームのレイヤは、２つ以上のビットストリームパーティションに分割され、前記方法が、
ＨＲＤパラメータの複数のセットを符号化することと、
各ビットストリームパーティションの時間サブレイヤごとに、ＨＲＤパラメータの前記複数のセットのうちのＨＲＤパラメータの１つのセットを表すインデックスを符号化することと、ここにおいて、前記インデックスをコード化することは、
前記ＨＲＤパラメータのループの反復の数を表す数を符号化することと、前記ループの前記反復の各々が、前記時間サブレイヤのうちの１つに対応する、
前記ループ反復のうちの対応する１つにおいて前記時間サブレイヤの各々のために前記インデックスを符号化することと、
を備える、
前記ビットストリームの符号化ピクチャを形成するためにピクチャを符号化することと、
前記ビットストリームの前記符号化ピクチャを復号することと、
前記復号ピクチャを復号ピクチャバッファ（ＤＰＢ）に記憶することと、
前記ＨＲＤパラメータに従って前記復号ピクチャを前記ＤＰＢから取り除くことと
によって、前記ＨＲＤパラメータを使用して前記ビデオビットストリームを処理することと
を備える方法。
【請求項３】
前記インデックスを復号することは、前記ＨＲＤパラメータがそれのためにコード化される時間サブレイヤの数に等しい、少なくとも、前記ビットストリームの時間サブレイヤのための出力順序における連続するピクチャのＨＲＤ出力時間間の時間距離が制約されるかどうかを示すシンタックス要素の数を復号することを備える、請求項１に記載の方法、又は、
前記インデックスを符号化することは、前記ＨＲＤパラメータがそれのためにコード化される時間サブレイヤの数に等しい、少なくとも、前記ビットストリームの時間サブレイヤのための出力順序における連続するピクチャのＨＲＤ出力時間間の時間距離が制約されるかどうかを示すシンタックス要素の数を符号化することを備える、請求項２に記載の方法。
【請求項４】
少なくとも、出力順序における連続するピクチャのＨＲＤ出力時間間の前記時間距離が制約されるかどうかを示す前記シンタックス要素が、ｆｉｘｅｄ＿ｐｉｃ＿ｒａｔｅ＿ｇｅｎｅｒａｌ＿ｆｌａｇ［］シンタックス要素又はｆｉｘｅｄ＿ｐｉｃ＿ｒａｔｅ＿ｗｉｔｈｉｎ＿ＣＶＳ＿ｆｌａｇ［］シンタックス要素のうちの少なくとも１つを備える、請求項３に記載の方法。
【請求項５】
前記ＨＲＤパラメータを復号することが、対応する前記時間サブレイヤのための連続するピクチャのＨＲＤ出力時間を指定する要素ユニット間のクロックティックにおける時間距離を示すシンタックス要素を復号することを備える、請求項１に記載の方法、又は
前記ＨＲＤパラメータを符号化することが、対応する前記時間サブレイヤのための連続するピクチャのＨＲＤ出力時間を指定する要素ユニット間のクロックティックにおける時間距離を示すシンタックス要素を符号化することを備える、請求項２に記載の方法。
【請求項６】
前記ＨＲＤパラメータを復号することが、対応する前記時間サブレイヤのＨＲＤ動作モードを示すシンタックス要素を復号することを備える、請求項１に記載の方法、又は
前記ＨＲＤパラメータを符号化することが、対応する前記時間サブレイヤのＨＲＤ動作モードを示すシンタックス要素を符号化することを備える、請求項３に記載の方法。
【請求項７】
前記方法が、ワイヤレス通信機器上で実行可能であり、ここにおいて、前記機器が、
前記ＨＲＤパラメータを記憶するように構成されたメモリと、
前記メモリに記憶された前記ＨＲＤパラメータと、前記ビデオビットストリームとを処理するための命令を実行するように構成されたプロセッサと、
前記ビデオビットストリームと前記ＨＲＤパラメータとを含む信号を受信するための、及び前記メモリに前記ＨＲＤパラメータを記憶するための受信機と
を備える、請求項１に記載の方法。
【請求項８】
前記ワイヤレス通信機器がセルラー電話であり、前記信号が、前記受信機によって受信され、セルラー通信規格に従って変調される、請求項７に記載の方法。
【請求項９】
高効率ビデオコード化（ＨＥＶＣ）規格及び前記規格の拡張の少なくとも一方に従ってビデオデータを復号するための機器であって、前記ビデオデータは、ビデオビットストリームを含み、前記ビデオビットストリームのレイヤは、２つ以上のビットストリームパーティションに分割され、前記機器が、
ビデオデータを記憶するように構成されたメモリと、
ビデオデコーダと
を備え、前記ビデオデコーダが、
ＨＲＤパラメータの複数のセットを復号することと、
各ビットストリームパーティションの時間サブレイヤごとに、ＨＲＤパラメータの前記複数のセットのうちのＨＲＤパラメータの１つのセットを表すインデックスを復号することと、ここにおいて、前記ＨＲＤパラメータをコード化するために、前記ビデオデコーダは、
前記ＨＲＤパラメータのループの反復の数を表す数を復号することと、前記ループの前記反復の各々が、前記時間サブレイヤのうちの１つに対応する、
前記ループ反復のうちの対応する１つにおいて前記時間サブレイヤの各々のために前記インデックスを復号することと、
を行うように構成される、
前記ビットストリームの符号化ピクチャを復号することと、
前記復号ピクチャを復号ピクチャバッファ（ＤＰＢ）に記憶することと、
前記ＨＲＤパラメータに従って前記復号ピクチャを前記ＤＰＢから取り除くことと
によって、前記ＨＲＤパラメータを使用して前記ビデオビットストリームを処理することと
を行うように構成された、機器。
【請求項１０】
高効率ビデオコード化（ＨＥＶＣ）規格及び前記規格の拡張の少なくとも一方に従ってビデオデータを符号化するための機器であって、前記ビデオデータは、ビデオビットストリームを含み、前記ビデオビットストリームのレイヤは、２つ以上のビットストリームパーティションに分割され、前記機器が、
ビデオデータを記憶するように構成されたメモリと、
ビデオエンコーダと
を備え、前記ビデオエンコーダが、
ＨＲＤパラメータの複数のセットを符号化することと、
各ビットストリームパーティションの時間サブレイヤごとに、ＨＲＤパラメータの前記複数のセットのうちのＨＲＤパラメータの１つのセットを表すインデックスを符号化することと、ここにおいて、前記ＨＲＤパラメータをコード化するために、前記ビデオデコーダは、
前記ＨＲＤパラメータのループの反復の数を表す数を符号化することと、前記ループの前記反復の各々が、前記時間サブレイヤのうちの１つに対応する、
前記ループ反復のうちの対応する１つにおいて前記時間サブレイヤの各々のために前記インデックスを符号化することと、
を行うように構成される、
前記ビットストリームの符号化ピクチャを形成するためにピクチャを符号化することと、
前記ビットストリームの前記符号化ピクチャを復号することと、
前記復号ピクチャを復号ピクチャバッファ（ＤＰＢ）に記憶することと、
前記ＨＲＤパラメータに従って前記復号ピクチャを前記ＤＰＢから取り除くことと
によって、前記ＨＲＤパラメータを使用して前記ビデオビットストリームを処理することと
を行うように構成された、機器。
【請求項１１】
前記機器がワイヤレス通信機器であり、前記ビデオビットストリームと前記ＨＲＤパラメータとを含む信号を受信することと、前記メモリに前記ＨＲＤパラメータを記憶することとを行うように構成された受信機をさらに備える、請求項９に記載の機器。
【請求項１２】
前記ワイヤレス通信機器がセルラー電話であり、前記信号が、前記受信機によって受信され、セルラー通信規格に従って変調される、請求項１１に記載の機器。
【請求項１３】
実行されたとき、プロセッサに、請求項１−８のうちのいずれかに記載の方法を実行させる命令を記憶した、コンピュータ可読記憶媒体。